(57)【要約】【課題】装飾板の取り付けの精度の高い位置出しが容易で、しかも迅速に作業を行なうことができ、能率的に扉等の表面に装飾板を並べて取り付ける。【解決手段】玄関ドア等の扉１の表面板４に装飾板５を取り付ける取り付け方法であって、上記表面板４上の所定位置に予め装飾板５の一端に設ける端部キャップ６を固定しておき、装飾板５の一端を一方の端部キャップ６に当接するとともに、装飾板５の他端を、上記表面板４上にスライド可能に取り付けた他方の端部キャップ６に当接する。【選択図】図５
2005256452.tif 000002
【特許請求の範囲】
【請求項１】
玄関ドア等の扉の表面板に装飾板を取り付ける取り付け方法であって、上記表面板上の所定位置に予め装飾板の一端に設ける端部キャップを固定しておき、装飾板の一端を一方の端部キャップに嵌入するとともに、装飾板の他端を、上記表面板上にスライド可能に取り付けた他方の端部キャップに嵌入することを特徴とする扉等の表面板に対する装飾板の取付方法。
【請求項２】
前記装飾板の背面には、接着層が設けられていることを特徴とする請求項１記載の扉等の表面板に対する装飾板の取付方法。
【請求項３】
前記装飾板に設けられる接着層は、前記装飾板の背面側に設けられ、装飾板の一端側には上記接着層が形成されていない余白部を設けたことを特徴とする扉等の表面板に対する装飾板の取付方法。
【請求項４】
前記装飾板に設けられる端部キャップには、前記表面板に取り付けるための孔が設けられており、該孔は長孔であることを特徴とする請求項１〜３記載の扉等の表面板に対する装飾板の取付方法。
【請求項５】
玄関ドア等の扉を構成する表面板上に一定の間隔をおいて端部キャップを取り付け、これらの端部キャップには、上記表面板上に設けられた装飾板の一端を当接する当接部を形成し、上記装飾板の両端部を上記両端部キャップの当接部に当接するとともに、一方の端部キャップは装飾板の端面に対して当接する方向にスライド可能に取り付けたことを特徴とする扉等の表面板に対する装飾板の取付構造。
【発明の詳細な説明】
【技術分野】
【０００１】
本発明は玄関ドア等の扉の表面板に装飾板を取り付ける取り付け方法及び取付構造に関するものである。
【背景技術】
【０００２】
一般に、フラッシュドアのように、薄鋼板によって内部が中空なドア本体を成形し、その内部に発泡材を充填した構造の扉では、その表面板の上にさらに装飾板を取り付けて完成させる例が多い。
【０００３】
その一例として、扉の表面板に細長装飾板を並べて取り付けるものも提案されている。この場合、通常は、表面板上に１枚の細長装飾板を接着固定し、さらにその隣りに細長板材を並べて接着固定し、さらにその隣りに同様の手順で細長装飾板を接着固定し、全ての細長装飾板を並べて固定した後、これらの細長装飾板の上下端に端部キャップを取り付けるという作業工程で行なわれていた。
【発明の開示】
【発明が解決しようとする課題】
【０００４】
しかしながら、このように各細長装飾板を手作業で扉の表面板上に固定する方式では、取付誤差が生じてしまうことは免れない。例えば、隣り合う細長装飾板の間の隙間（目地）は均一ではなく、広かったり狭かったり、あるいは平行ではなかったりすることがよくある。また、細長装飾板の上下端が揃わないという事態も発生する。
【０００５】
このような装飾板間の目地、装飾板間の平行度、装飾板の上下端の整合性などにおける不都合を避けるために、表面板上に予め位置決め用の線を描いておき、この線に沿って細長装飾板を固定するということも考えられるが、それではあまりにも作業効率がよくない。
【０００６】
結局のところ、装飾板の取り付けには熟練を要し、熟練者でないと上述のような不都合が発生しやすく、また不都合が生じたときは、最初からやり直しをしなければならないという問題があった。
【０００７】
本発明は上記問題点を解消し、装飾板の取り付けの精度の高い位置出しが容易で、しかも迅速に作業を行なうことができて能率的に扉等の表面に装飾板を並べて取り付けることができる、扉等の表面板に対する装飾板の取付方法及び取付構造を提供することをその課題とする。
【課題を解決するための手段】
【０００８】
前記課題を解決するため、本発明に係る扉等の表面板に対する装飾板の取付方法は、玄関ドア等の扉の表面板に装飾板を取り付ける取り付け方法であって、上記表面板上の所定位置に予め装飾板の一端に設ける端部キャップを固定しておき、装飾板の一端を一方の端部キャップに嵌入するとともに、装飾板の他端を、上記表面板上にスライド可能に取り付けた他方の端部キャップに嵌入することを特徴とする。
【０００９】
なお、前記装飾板の背面には、接着層が設けられているのが好ましい.
また、前記装飾板に設けられる接着層は、前記装飾板の背面側に設けられ、装飾板の一端側には上記接着層が形成されていない余白部を設けるのがよい。
【００１０】
さらに、前記装飾板に設けられる端部キャップには、前記表面板に取り付けるための孔を設け、該孔は長孔とするのが望ましい。
【００１１】
さらに、本発明に係ることを特徴とする扉等の表面板に対する装飾板の取付構造は、玄関ドア等の扉を構成する表面板上に一定の間隔をおいて端部キャップを取り付け、これらの端部キャップには、上記表面板上に設けられた装飾板の一端を当接する当接部を形成し、上記装飾板の両端部を上記両端部キャップの当接部に当接するとともに、一方の端部キャップは装飾板の端面に対して当接する方向にスライド可能に取り付けたことを特徴とする。
【発明の効果】
【００１２】
請求項１に係る発明によれば、玄関ドア等の扉の表面板上の所定位置に予め装飾板の一端に設ける端部キャップを固定しておき、装飾板の一端を一方の端部キャップに当接するとともに、装飾板の他端を、上記表面板上にスライド可能に取り付けた他方の端部キャップに当接することによって取り付けるので、初めに端部キャップの位置を正確に決めておけば、自動的に装飾板の位置も正確に決まることになる。また、端部キャップの位置を決めるには、扉の表面板に端部キャップの取付部（取付孔など）を正確に形成しておけばよい。したがって、誰でも装飾板の取り付けの精度の高い位置出しが容易で、しかも迅速に作業を行なうことができて能率的に扉等の表面に装飾板を並べて取り付けることができる。
【００１３】
請求項２に係る発明によれば、さらに、前記装飾板の背面には接着層が設けられているので、装飾板を強固に扉等の表面板に固定することができる。
【００１４】
請求項３に係る発明によれば、前記装飾板に設けられる接着層は、前記装飾板の一端側に余白部を設けているので、表面板に対して装飾板を少し傾け、装飾板の余白部側の端部を表面板に当接し、反対側の端部を浮かせた状態で余白部側を前記一方の端部キャップに当接した後、装飾板の背面全体を表面板に接着させるために、表面板側に倒したときに、余白部があるために装飾板は簡単には表面板に接着することがない。そこで、装飾板を十分に倒して他端の位置を他方の端部キャップの所定位置に正確に位置決め調整することができる。このように、装飾板の他端も正確に位置出して接着することができるので、作業を正確かつ容易に行なうことができる。
【００１５】
請求項４に係る発明によれば、前記装飾板に設けられる端部キャップには、扉を構成する表面板に取り付けるための長孔が形成されているので、端部キャップを上記長孔を利用して前記表面板に対してスライド可能に取り付けることができる。このため、一端を一方の端部キャップに嵌入した装飾板の他端に対して他方の端部キャップをスライドさせて嵌入させることができる。
【００１６】
請求項５に係る発明によれば、前記請求項１に示したような取付方法を採用することができるから、誰でも能率的で正確かつ容易に扉等の表面に装飾板を並べて取り付けることができる。
【発明を実施するための最良の形態】
【００１７】
図１及び図２において符号１は玄関ドア等の扉を示す。この扉１は薄鋼板４ａによって内部が中空なドア本体２を成形し、その内部に発泡材３を充填した構造で、ドア本体２の表面板４の上には細長の装飾板５が並んで配設されている。
【００１８】
上記扉１に対する装飾板５の取付構造は、上記表面板４上に一定の間隔をおいて取り付けられた端部キャップ６と、これらの端部キャップ６に両端が当接された装飾板５とから成り、一方の端部キャップ６は装飾板５の端面に対して当接する方向にスライド可能に取り付けられていることによって構成されている。
【００１９】
装飾板５は、図３に示されるように、面板７の両側にコ字状の折曲縁８を形成するとともに、面板７の背面部の中央よりも一側の偏り位置に、面板７の長手方向に沿って断面Ｔ字形の突条９を形成して成るものである。上記折曲縁８と突条９の先端は面板７の背面側に面一になる高さに形成されている。なお、突条９は面板７の中央に形成されていてもよい。表面側中央に飾り鋲１０が取り付けられているので、飾り鋲１０の取り付け部を避けるために一側の偏り位置に設けているにすぎない。
【００２０】
なお、上記折曲縁８と突条９の背面側には、接着層１１を形成しておく。接着層１１は接着剤を塗布するか、両面テープを貼着することによって構成すればよい。また、接着層１１は図４に示されるように、装飾板５の一端から他端にかけて設けられているが、一端側には、接着層１１のない一定の余白部１２を設けるのが好ましい。
【００２１】
端部キャップ６は図５に示されるように、上記面板７の端面形状よりも１回り大きい程度の端面板１３の、上記装飾板５の面板７と折曲縁８側の縁辺に沿って起立縁１４を形成し、起立縁１４の内側に上記面板７と折曲縁８とが嵌まり合うスペースを形成するとともに、上記縁辺と反対側には両側に大きな取付片１５、中央には小さな支持片１６を形成したものである。取付片１５には長孔１７が形成されている。
【００２２】
次に、上記扉１の表面板４に装飾板５を取り付ける取付方法について説明すると、図６に示されるように、上記表面板４上の所定の端部キャップ取付位置に取付孔１８を穿孔する。そして、各取付孔１８には予め端部キャップ６の取付用長孔１７からポップリベット１９を挿入し、端部キャップ６をポップリベット１９で取り付けておく。なお、表面板４の一端側の端部キャップ６は確実に所定の位置に取り付けておくが、他端側の端部キャップ６は長孔１７を利用して所定の位置よりも少し遠くに離れた位置に取り付けておき、所定位置にスライドさせることができるようにしておく。
【００２３】
そして、図７に示されるように、装飾板５を斜めにしてその余白部１２側の端部を一方の端部キャップ６の起立縁１４と表面板４の間に嵌入し（このとき反対側の端部は浮かせた状態になっている）、さらに装飾板５の裏側全体を表面板４に押し付けるように倒しながら、装飾板５の端面を端部キャップ６の端面板１３に当接させると同時に装飾板５の背面側の接着層１１を表面板４に接着させる。他端の端部キャップ６は装飾板５から離れた位置にあるので、装飾板５の背面側を接着させる際の障害になることはない。
【００２４】
一方の端部の装飾板５の端部を一方の端部キャップ６の起立縁１４と表面板４の間に嵌入して当接させたとき、図８に示されるように、端部キャップ６の取付片１５と支持片１６との間に装飾板５の突条９が嵌まるようになっている。
【００２５】
なお、装飾板５の余白部１２側の端部を一方の端部キャップ６に当接させた後、装飾板５の背面全体を表面板４に接着させるために、表面板４側に倒したときに、余白部１２があるために装飾板５は簡単には表面板４に接着することがない。そこで、装飾板５を十分に倒して他端の位置を他方の端部キャップ６の所定位置に正確に位置決め調整することができる。このように、装飾板５の他端も正確に位置出して接着することができるので、作業を正確かつ容易に行なうことができる。
【００２６】
その後、図９に示されるように、上記他端側の端部キャップ６を適宜手段２０で叩く等により端部キャップ６を装飾板５の端面に当接する方向にスライドさせ、その端部を上記一方の端部キャップ６に対するのと同様に、起立縁１４と表面板４の間に嵌入し、さらに図１０に示すように端面を端部キャップ６の端面板１３に当接させる。１枚の装飾板５の取り付けが終了したときは、この装飾板５の隣りに次の装飾板５を同じ要領で取り付ければよい。
【００２７】
上述のように、初めに端部キャップ６の位置を正確に出しておけば、自動的に装飾板５の位置も正確に決まることになる。また、端部キャップ６の位置を決めるには、扉１の表面板４に端部キャップ６の取付孔１８を正確に形成しておけばよい。これにより、隣り合う装飾板５の目地の大きさ、平行度及び端面の整合の全てが自動的にきまるので、誰でも能率的で正確かつ容易に扉１等の表面に装飾板５を並べて取り付けることができる。
【００２８】
なお、装飾板５は必ずしも板状材である必要はなく、縦又は横の格子材であってもよい。
【００２９】
なお、装飾板５の端部は端部キャップ６に嵌入できる構成ではなく、単に装飾板５の端部を端部キャップ６に当接させて塞ぐという構成であってもよい。
【００３０】
また、必ずしも両端の端部キャップの構造が同じものである必要はない。後から装飾板を塞ぐ端部キャップは、スライドさせる構成であれば、図示したものに限定されない。他の構成であってもよい。
【図面の簡単な説明】
【００３１】
【図１】本発明に係る扉の正面図である。
【図２】図１のＸ−Ｘ線上の断面図である。
【図３】装飾板の平面図である。
【図４】装飾板の背面図である。
【図５】端部キャップの斜視図である。
【図６】上記扉の分解斜視図である。
【図７】ドア本体に対する装飾板の一端の取付態様説明図である。
【図８】装飾板の一端に端部キャップに嵌合した状態を示す説明図である。
【図９】装飾板の他端に端部キャップをスライドさせる状態を示す説明図である。
【図１０】装飾板の取付完了状態の示す説明図である。
【符号の説明】
【００３２】
１  扉
４  表面板
５  装飾板
６  端部キャップ
【図１】
2005256452.tif 000003
【図２】
2005256452.tif 000004
【図３】
2005256452.tif 000005
【図４】
2005256452.tif 000006
【図５】
2005256452.tif 000007
【図６】
2005256452.tif 000008
【図７】
2005256452.tif 000009
【図８】
2005256452.tif 000010
【図９】
2005256452.tif 000011
【図１０】
2005256452.tif 000012